(57)【特許請求の範囲】
【請求項１】
家具枠体（２）に取り付けられることになる固定部分（６）を有する枠体レール（５）と、
引出し（３）に固定されることになると共に、前記枠体レール（５）に対して可動であるよう取り付けられた引出しレール（８）であって、前記枠体レール（５）の前記固定部分（６）に面する側部肢部（２０）を有する引出しレール（８）と、
前記引出し（３）の後壁（９）が、開位置において、前記家具枠体（２）の前端（１０）と少なくとも略同一平面となるような前記引出し（３）の完全な延伸を可能にするために、前記枠体レール（５）と前記引出しレール（８）との間に可動に取り付けられた中央レール（７）であって、前記引出しレール（８）の前記側部肢部（２０）に面する側方輪郭外形部（２６）を有する中央レール（７）と、
少なくとも一つの支持ローラ（１２）を有し、前記引出し（３）の閉位置において、前記引出しレール（８）が前記枠体レール（５）上に前記少なくとも一つの支持ローラ（１２）によって支持されるよう構成された支承体（１１）であって、前記中央レール（７）の前端領域に配置されており、かつ、前記中央レール（７）に対してその長手方向に移動不能であるよう配置された支承体（１１）と、
を含み、
前記引出しレール（８）の前記側部肢部（２０）が前記支承体（１１）の前記支持ローラ（１２）と前記枠体レール（５）の前記固定部分（６）との間に配置されている、引出し延出ガイド（４）において、
前記中央レール（７）の前記側方輪郭外形部（２６）は、前記支承体（１１）の前記支持ローラ（１２）と前記引出しレール（８）の前記側部肢部（２０）との間に位置している、
ことを特徴とする引出し延出ガイド（４）。
【請求項２】
前記引出しレール（８）は、前記引出しレール（８）のレール輪郭形状によって画定される空洞部を有しており、
前記支持ローラ（１２）は前記空洞部内に配置されている、
ことを特徴とする請求項１に記載の引出し延出ガイド。
【請求項３】
前記引出しレール（８）が２つの側部肢部（２０、２１）と、前記２つの側部肢部（２０、２１）を接続する中央肢部（２２）とを有し、
前記中央肢部（２２）は平坦であり、
前記支持ローラ（２２）は、前記引出しレール（８）の前記２つの側部肢部（２０、２１）の内部に配置されている、
ことを特徴とする請求項１または２に記載の引出し延出ガイド。
【請求項４】
前記支持ローラ（１２）は、一方で、前記引出しレール（８）の前記中央肢部（２２）の下側と協働し、他方で、前記枠体レール（５）の水平肢部（１９）と協働する、
ことを特徴とする請求項３記載の引出し延出ガイド。
【請求項５】
前記引出しレール（８）は、少なくとも部分的に下方に開いた形態である、
ことを特徴とする請求項１から４のいずれか１項に記載の引出し延出ガイド。
【請求項６】
前記支持ローラ（１２）のための前記支承体（１１）は、少なくとも一つのトラニオン（２８）を有している、
ことを特徴とする請求項１から５のいずれか１項に記載の引出し延出ガイド。
【請求項７】
前記少なくとも一つのトラニオン（２８）は、前記支持ローラ（１２）の貫通はしていない開口部内に突出している、
ことを特徴とする請求項６記載の引出し延出ガイド。
【請求項８】
前記支持ローラ（１２）は、高さ方向に可動であるよう取り付けられている、
ことを特徴とする請求項１から７のいずれか１項に記載の引出し延出ガイド。
【請求項９】
前記開口部（３３）の直径は、前記トラニオン（２８）の直径よりも大きい、
ことを特徴とする請求項７または８記載の引出し延出ガイド。
【請求項１０】
前記支承体（１１）は、ガイド（２９）を有し、
前記支持ローラ（１２）は、前記ガイド（２９）内に垂直方向に制限的に可動であるよう取り付けられている、
ことを特徴とする請求項１から９のいずれか１項に記載の引出し延出ガイド。
【請求項１１】
前記支承体（１１）は、前記レール（７、８）の一方に、スナップ式コネクタ（１３）によって固定できる、
ことを特徴とする請求項１から１０のいずれか１項に記載の引出し延出ガイド。
【請求項１２】
前記支承体（１１）は、プラスチック製である、
ことを特徴とする請求項１から１１のいずれか１項に記載の引出し延出ガイド。
【請求項１３】
前記中央レール（７）は水平肢部（２７）を有しており、
前記支持ローラ（１２）は、前記中央レール（７）の前記水平肢部（２７）を越えて上下に突出している、
ことを特徴とする請求項１から１２のいずれか１項に記載の引出し延出ガイド。
【請求項１４】
引出し（３）と、
請求項１から１３のいずれか１項に記載の引出し延出ガイド（４）と、
を含んだ構造体。
【発明の詳細な説明】
【技術分野】
【０００１】
本発明は、引出し延出ガイドに関する。この引出し延出ガイドは、
固定部分によって家具枠体に取り付けられる枠体レールと、
引出しに固定され、枠体レールに対して可動であるよう取り付けられた引出しレールであって、固定部分側に面する側部肢部と、
枠体レールと引出しレールとの間で可動であるよう取り付けられた中央レールと、
閉状態で枠体レールに引出しレールを支持させる少なくとも一つの支持ローラを有する支承体と、
を含み、
支承体は、中央レールまたは引出しレールの前端領域に配置されており、かつ、動作中に、支承体が配置されているレールの長手方向に移動不能に配置されている。
【０００２】
本発明は、引出しと、以下で解説するような引出し延出ガイドとを含んだ構造体にも関する。
【背景技術】
【０００３】
ＡＴ４５１８Ｕ１とＥＰ１４７０７７０Ａ１は、引出し延出ガイドについてそれぞれ解説しており、そこでは少なくとも一つの支持ローラを備えた支承体は枠体レールの前端領域に配置されている。この支持ローラは閉状態で延出レールまたはこれに接続された引出しを支持するように提供されている。この場合には、支持ローラは横方向縁領域または延出レールの折り曲げ部分に当接している。支持ローラは、引出しの荷重を伝達するために両レール間に可動に取り付けられている運搬具のローラが引出しの重量から解放され、その結果変形から保護されるようにしている。さらに支持ローラは、引出しの望まれない下方動作が防止されるよう、引出しが閉状態で少々持ち上げられるようにしている。したがって、キャビネットの互いに重ねられた関係で配置されている複数の引出しの前方パネル間の水平に延伸する間隙は、外部から視認できる間隙のパターンも視覚的に魅力的であるように一定の幅であり得る。
【０００４】
請求項１の前提部分の特徴を有する引出し延出ガイドは、ＥＰ０８３４２７０Ａ２、ＥＰ１１９０６４６Ａ１、ＥＰ０６６４９８３Ａ２およびＤＥ２０２００８０１７０６１Ｕ１に開示されている。
【先行技術文献】
【特許文献】
【０００５】
【特許文献１】ＡＴ４５１８Ｕ１
【特許文献２】ＥＰ１４７０７７０Ａ１
【特許文献３】ＥＰ０８３４２７０Ａ２
【特許文献４】ＥＰ１１９０６４６Ａ１
【特許文献５】ＥＰ０６６４９８３Ａ２
【特許文献６】ＤＥ２０２００８０１７０６１Ｕ１
【発明の概要】
【発明が解決しようとする課題】
【０００６】
本発明の目的は、本明細書の初題部分で言及された一般的な種類であるが、さらにコンパクトな構造が関与する引出し延出ガイドを提供することである。
【課題を解決するための手段】
【０００７】
本発明によれば、これは請求項１の特徴によって達成される。本発明のさらなる有利な形態は、従属請求項に述べられている。
【０００８】
本発明によれば、引出しレールの側部肢部は、支持ローラと枠体レールの取り付け部分との間に配置されている。
【０００９】
換言すれば、前述の従来技術と比較して、支持ローラは引出し延出ガイドのレールシステムの中央に配置されており、引出しレールの側部肢部と家具枠体との間の空間を減少させることができ、引出し延出ガイドを全体的に細くすることができる。
【００１０】
このガイドシステムの支持ローラの中央配置は荷重の中央配分も提供し、少なくとも一つの支持ローラが、比較的狭い中間領域に引出し延出ガイドの隣接し、かつ相対的に可動なレール間にコンパクトな形態で配置できる。支持ローラが横方向に取り付けられている前述の従来技術の状況とは異なり、本発明による構造では、運搬具が実質的に垂直に荷重され、引出し延出ガイドの捻れが生じないよう、レール間に配置された運搬具に横方向の傾斜モーメントがかからないようになっている。
【００１１】
さらに、本発明による形態では、支持ローラはレールの走行肢部と直接的に協働できるので、引出しレールを支持ローラ上で支持させる折り曲げ部分を引出しレールに提供する必要がなくなる。
【００１２】
別な実施態様は、中央レールが引出しレールの側部肢部側に面する側方輪郭外形部を有しており、中央レールの側方輪郭外形部は支持ローラと引出しレールの側部肢部との間に配置されている。
【００１３】
引出しレールは、引出しレールのレール輪郭形状によって画定される空洞部を有することができ、支持ローラはこの空洞部内に配置されている。この点で、引出しレールが２つの側部肢部と、それらの２つの側部肢部を接続する中央肢部を有し、中央肢部が好適には平坦であり、支持ローラは引出しレールの２つの側部肢部の内部に好適には完全に設置されていることが有利である。この場合には、支持ローラは、一方で、引出しレールの中央肢部の下側と協働でき、他方で、枠体レールの走行肢部と協働できる。
【００１４】
支持ローラを備えた支承体は、例えば引出しレールに配置でき、支持ローラは、引出しレールの閉状態で、枠体レールと協働する。
【００１５】
完全延出状態の引出し配置では、通常は、引出し延出ガイドは枠体レールと延出レールとの間に可動に取り付けられている中央レールを有する。この場合には、支持ローラを備えた支承体は中央レールに取り付けることができ、支持ローラは、一方で、枠体レールと協働し、他方で、引出しレールと協働する。
【００１６】
支持ローラは中央レールの前端領域、または引出しレールの前端領域に配置されており、支持ローラは回転可能であるが、動作中に（すなわちレール５、７、８の相対運動時に）支承体が配置されているレールの長手方向には移動できないように配置されている。“レールの前端領域”とは、それぞれの場合において取り付け状態での中央レールの先方部分の三分の一または引出しレールの先方部分の三分の一を意味している。
【００１７】
中央レールまたは引出しレールに支持ローラを備えた支承体を配置することで、運搬具または（通常は引出し延出ガイドのレール間に可動に取り付けられている）回転体の引っ掛かり現象を実質的に防止することが可能となり、よって引出し延出ガイドの移動性が向上する。
【００１８】
本発明の別な詳細と利点を、図面に示す実施例によって解説する。
【図面の簡単な説明】
【００１９】
【図１】図１は、家具枠体と、それに対して可動な引出しとを有する家具の斜視図である。
【図２ａ−２ｂ】図２ａと図２ｂは、引出し延出ガイドの斜視図と、引出し延出ガイドの前端領域の拡大図である。
【図３ａ−３ｂ】図３ａと図３ｂは、引出し延出ガイドの前端領域の斜視図と垂直断面図である。
【図４ａ−４ｂ】図４ａと図４ｂは、少々変形させた実施例による引出し延出ガイドの前端領域の斜視図と垂直断面図である。
【図５ａ−５ｂ】図５ａと図５ｂは、引出し延出ガイドの前端領域の斜視断面図と垂直断面図であり、支持ローラを備えた支承体は引出しレールに固定されている。
【図６ａ−６ｃ】図６ａから図６ｃは、支承体の可能な実施例の様々な図である。
【発明を実施するための形態】
【００２０】
図１は、家具枠体２と、それに対して可動な引出し３とを有する家具１を斜視図で示している。引出し３を可動に取り付けるため、家具枠体２に固定された枠体レール５と、枠体レール５に対して可動である引出しレール８とをそれぞれ有する引出し延出ガイド４が提供されており、中央レール７（ここでは図示せず）は、枠体レール５と引出しレール８との間に可動に取り付けられている。引出し３の後壁９が家具枠体２の実質的に前端１０まで引き出されるように、中央レール７は引出し３の完全延伸を可能にする。
【００２１】
図２ａは、引出し延出ガイド４の斜視図である。枠体レール５は取り付け状態で垂直に延伸する固定部分６によって家具枠体２に固定されるものであり、可動な引出しレール８は引出し３に接続される。固定部分６は、固定ネジを受領するための複数の開口部３４を有している。中央レール７は、枠体レール５と引出しレール８との間に可動に取り付けられている。支持ローラ１２を有する支承体１１が図示されており、引出しレール８は閉位置で支持ローラ１２によって枠体レール５に支持される。支承体１１をレール７、８に固定するため、スナップ式コネクタ１３が提供されている。図２ｂは、引出し延出ガイド４の前端領域の拡大図である。引出し３の前端領域は、高さ調節装置１４によって上下される。高さ調節装置１４は、人手で作動される把持部１５と、把持部１５に接続され、取付状態において引出し３の横縁領域が載置される取付部１６とを含んでいる。把持部１５は引出しレール８の複数の所定のラッチ手段１８にて配置でき、取付部１６（およびそれと共に引出し３の前端領域）は、各ラッチ手段１８の選択に応じて異なる高さ位置をとる。
【００２２】
図３ａは、引出し延出ガイド４の前端領域の斜視図である。枠体レール５は、家具枠体２に取り付けるための固定部分６と、引出しレール８の閉位置において、支持ローラ１２が支持される水平肢部１９とを有している。図示の実施例では、支持ローラ１２を備えた支承体１１は中央レール７に固定されており、支持ローラ１２は、一方で、引出しレール８の中央肢部２２の下側と協働し、他方で、枠体レール５の水平肢部１９と協働している。引出しレール８は、固定部分６側に面する側部肢部２０を有しており、引出しレール８の側部肢部２０は、支持ローラ１２と枠体レール５の固定部分６との間に配置されている。引出しレール８は、２つの側部肢部２０、２１と、側部肢部２０および２１を接続する好適には平坦な中央レール２２とを有しており、支持ローラ１２は、好適には完全に、引出しレール８の２つの側部肢部２０、２１の内部に配置されている。引出し３の前端領域が載置される取付部分１６は、高さ調節装置１４の把持部分１５によって、高さが調節可能なように設計されている。
【００２３】
図３ｂは、図３ａに示す引出し延出ガイド４の垂直断面図である。引出しレール８は、引出しレール８のレール輪郭外形部によって画定される空洞部を有しており、支持ローラ１２は、好適には完全にその空洞部内に設置されている。引出しレール８は、少なくとも部分的に下方に開いている。引出し延出ガイド４の相対的に可動なレール５、７、８間の支持ローラ１２の中央配置構造では、支持ローラ１２が比較的狭い中央領域内にコンパクトな形態で配置され、引出しレール８の側部肢部２０と枠体レール５の固定部分６との間の空間２３の大きさが減少でき、引出し延出ガイド４全体を細くでき、結果としてさらにコンパクトにすることができる。
【００２４】
図４ａは、引出し延出ガイド４の、前端領域の少々変形させた実施例を示している。支持ローラ１２を備えた支承体１１は、スナップ式コネクタ１３によって中央レール７に旋回可能に固定されている。図示の実施例では、中央レール７は水平肢部２７を有しており、その前端には水平肢部２７の長手方向に延び、前方に開いた凹部２５が配置されている。凹部２５は支持ローラ１２を受領するように設計されている。前端領域に、引出し８は、引出しレール８の閉状態にて支持ローラ１２と協働する、好適には型打ち形態であるかさ上げ部分２４を有している。かさ上げ部分２４は、重荷重された引出し３の望まれない下方動作を実質的に防止しながら、引出しレール８が閉状態において所定の程度に上昇できるようにしている。かさ上げ部分２４の別な機能は、閉状態においてかさ上げ部分２４によって引出しレール８は支持ローラ１２上に確かに支持されるが、引出しレール８を開けると（異なる延伸構造の場合には中央レール７の速度の約２倍で移動）、支持ローラ１２が直ちに引出しレール８から解放され、引出し３の荷重は、通常は引出し延出ガイド４のレール５、７、８間に移動可能に取り付けられている回転体を備えた運搬具（図示せず）によってのみ伝達されるということである。このようにして、引出し延出ガイド４の移動に関与する力を減少させることができる。
【００２５】
図４ｂは、図４ａに示す引出し延出ガイド４の実施例の断面図である。引出しレール８が閉じた状態では、支持ローラ１２が、一方で、引出しレール８のかさ上げ部分２４と協働し、他方で、枠体レール５の水平肢部１９と協働する。中央レール７は、引出しレール８の側部肢部２０側に面する側方輪郭外形部２６を有しており、中央レール７の側方輪郭外形部２６は、支持ローラ１２と引出しレール８の側部肢部２０との間に配置されている。この実施例では、中央レール７の側方輪郭外形部２６と、引出しレール８の側部肢部２０との両方が支持ローラ１２と枠体レール５の固定部分６との間に配置されている。支持ローラ１２は、中央レール７の水平肢部２７を越えて上下に突出している。
【００２６】
図５ａは、引出し延出ガイド４の前端領域を図示しており、支持ローラ１２を備えた支承体１１は（前述の実施例とは異なり）引出しレール８に配置されている。支承体１１は、引出しレール８の中央肢部２２の下側に、好適には溶接またはリベットによって接続されている。支持ローラ１２を備えた支承体１１は、引出しレール８の前端領域に配置されており、支持ローラ１２は、引出しレールの閉動作の端に向かって、中央レール７の前方に開いた凹部２５内へと移動でき、支持ローラ１２は、引出しレール８が閉じているときに中央レール７の凹部２５内に収容される。
【００２７】
図５ｂは、図５ａの実施例の断面図である。この場合には、支承体１１は不動の水平に延伸するトラニオン２８を有しており、支持ローラ１２はトラニオン２８に回転可能に取り付けられている。引出し延出ガイド４の閉状態では、支持ローラ１２は、一方で、引出しレール８の中央肢部２２の下側と協働し、他方で、枠体レール５の水平肢部１９と協働している。引出しレール８の側部肢部２０側に面する中央レール７の側方輪郭外形部２６は、支持ローラ１２と引出しレール８の側部肢部２０との間に配置されている。
【００２８】
図６ａは、支承体１１の可能な１実施例の斜視図である。支承体１１は、引出し延出ガイド４の中央レール７または引出しレール８に、好適には旋回可能に、スナップ式コネクタ１３によって固定される。スナップ式コネクタ１３は、取付位置にて支承体１１の突起部３１を確実にロックする関係で包囲する２つの弾性拘束要素３０を有している。支承体１１は弾性アーム３２も有しており、取付位置のアーム３２の自由端は、支承体１１が配置されているレール７、８にて支持されている。高さ方向において生じる、引出し延出ガイドの公差は、弾性アーム３２によって実質的に補償できる。支承体１１は、全側部にて支持ローラ１２を包囲し、支持ローラ１２が緩く収容されるガイド２９を含んでいる。支持ローラ１２は、ガイド２９によって、高さ方向に制限的に可動に取り付けられている。支持ローラ１２のための垂直方向でのこの取り付けは、支持ローラ１２の好適には貫通はしていない開口部３３内に突出する支承体１１の少なくとも一つのトラニオン２８によって達成でき、開口部３３の直径は、トラニオン２８の直径よりも大きい。このように、支持ローラ１２は回転の固定軸を有していないが、高さに関して可動な回転軸は有している。このようにして、ガイドシステムでの追加的な許容誤差に適応することが可能である。
【００２９】
図６ｂは、ガイド２９内に装着された支持ローラ１２と、装着されたスナップ式コネクタ１３とを備えた支承体１１を図示しており、スナップ式コネクタ１３の拘束要素３０は、突起部３１を確実なロック関係で包囲している。
【００３０】
図６ｃは、支承体１１の斜視断面図である。支持ローラ１２は、ガイド２９の両側に配置されており、支持ローラ１２の盲穴形態の開口部３３内にそれぞれ延伸するトラニオン２８によって高さ方向に可動に保持されている。支承体１１は一体成形されており、射出成型プロセスによってプラスチック材料から容易に製造できる。支持ローラ１２はプラスチックまたは金属を含むこともできる。支持ローラ１２が金属製であるとき、その周りがプラスチックコーティングされていることが望ましい。全ての実施例において、支持ローラ１２は球形、円筒形、円盤形または円錐形でよい。好適には共通軸上で並んで横方向に配置されている複数の支持ローラ１２を使用すること、または引出しレール８の移動方向にて前後に支持ローラ１２を配置することも可能であることは理解されよう。
【図１】
0005956692.tif 000002
【図２ａ】
0005956692.tif 000003
【図２ｂ】
0005956692.tif 000004
【図３ａ】
0005956692.tif 000005
【図３ｂ】
0005956692.tif 000006
【図４ａ】
0005956692.tif 000007
【図４ｂ】
0005956692.tif 000008
【図５ａ】
0005956692.tif 000009
【図５ｂ】
0005956692.tif 000010
【図６ａ】
0005956692.tif 000011
【図６ｂ】
0005956692.tif 000012
【図６ｃ】
0005956692.tif 000013